(57)【要約】【課題】蓋付きバスケットにおいて、シンプルな蓋体の構成でテーブル面として有効に機能させ得るようにする。【解決手段】バスケット本体１と蓋体２を有した蓋付きバスケットにおいて、蓋体２は、バスケット本体１の開口縁部１４上に載置できる所定小幅の外周縁部２２を設け且つ該外周縁部２２の内側全面を外周縁部２２より所定小深さだけ段下げした段下げ壁２３を介してフラットな平面部２１としているとともに、蓋体２をバスケット本体１にセットした状態では、蓋体２の段下げ壁外周面２３ａがバスケット本体１の上部開口内周面１３ａに近接して、蓋体２がバスケット本体１に対して水平方向に位置決めされるように構成していることにより、該蓋体２をテーブル面として有効利用できるようにしている。  【選択図】  図３
2013081628.tif 000002
【特許請求の範囲】
【請求項１】
側周４面からなる側周壁（１１）と底壁（１２）を有し上部開口（１３）を全面解放させたバスケット本体（１）と、該バスケット本体（１）の上部開口（１３）を着脱自在に開閉できる蓋体（２）とを有した蓋付きバスケットであって、
蓋体（２）は、バスケット本体（１）の上部開口（１３）の開口縁部（１４）上に載置できる所定小幅の外周縁部（２２）を設け且つ該外周縁部（２２）の内側全面を該外周縁部（２２）より所定小深さだけ段下げした段下げ壁（２３）を介してフラットな平面部（２１）としているとともに、
蓋体（２）をバスケット本体（１）の上部開口（１３）にセットした状態では、蓋体（２）の段下げ壁（２３）の外周面（２３ａ）がバスケット本体（１）の上部開口（１３）の内周面（１３ａ）に近接して、蓋体（２）がバスケット本体（１）に対して水平方向に位置決めされるように構成している、
ことを特徴とする蓋付きバスケット。
【請求項２】
請求項１において、
バスケット本体（１）の底壁着座面（１２ａ）の外形を蓋体（２）の平面部（２１）の内形より小さくして、バスケット本体（１）にセットした蓋体（２）の平面部（２１）上に別のバスケット本体（１）の底壁着座面（１２ａ）を載せ得るようにしている、
ことを特徴とする蓋付きバスケット。
【発明の詳細な説明】
【技術分野】
【０００１】
本願発明は、アウトドアレジャー時（例えばピクニック時）に物品を収納して携行したり、あるいは家庭において衣類や小物物品等を収納するのに使用される蓋付きバスケットに関するものである。
【背景技術】
【０００２】
例えばアウトドアレジャー時において、物品（例えば弁当や飲料等）をバスケットに収納して携行する際には、バスケットの上部が開放されたままであると、内部に収納した物品が見えるとともに、内部の収納物品に直射日光が当たる。
【０００３】
又、アウトドアにおいて弁当を食べる際に、テーブルがない場合には弁当や飲料等を地面に敷いたシート上に置くことが多いが、ホコリが入り易く且つ低い位置に弁当を置くと食べにくいという問題がある。
【０００４】
そこで、従来から、アウトドアレジャー用のバスケットとして、例えば特開２０００−１３９５３９号公報（特許文献１）に示されるように、蓋付きで且つテーブルを折畳み自在に取付けたバスケットが提案されている。
【０００５】
この公知文献（特許文献１）のバスケットは、バスケット本体と、その上部開口を開閉する蓋体と、バスケット本体の外側面に折畳み可能に取付けたテーブル（左右一対ある）とを有している。
【０００６】
蓋体には、各種小物物品（フォークやスプーン等）を収納できるスペースを有したもので、テーブルとしての機能はない。
【０００７】
各テーブルは、折畳み自在な支持脚付きのもので、不使用時にはバスケット本体の外側面に沿わせた位置に格納しておき、使用時に水平外方に広げて支持脚で支持させることでテーブルとして使用可能となる。
【０００８】
このように、上記公知文献（特許文献１）のバスケットは、蓋付きである機能とテーブル付きである機能とを共有したものである。
【先行技術文献】
【特許文献】
【０００９】
【特許文献１】特開２０００−１３９５３９号公報
【発明の概要】
【発明が解決しようとする課題】
【００１０】
ところで、上記公知文献（特許文献１）のバスケットでは、蓋体は蓋としての機能だけのものであり、テーブルはテーブルとしての機能だけのものであるので、バスケットにそれぞれの機能をもたせるのにそれぞれの部材（蓋とテーブル）が必要であった。従って、バスケットに上記両機能をもたせようとすると、構造が複雑となるとともに、製造コストが高くなるという問題があった。
【００１１】
又、上記公知文献（特許文献１）のバスケットは、例えばアウトドアレジャー用としての限られた範囲でのみ使用できるものであって、他の目的での使用（例えば家庭において衣類や小物物品収納用のバスケットとしての使用）には不向きなものであった。
【００１２】
そこで、本願発明は、シンプルな蓋体の構成で、アウトドアレジャー時にはテーブルとして有効に機能させ得るとともに、蓋体をバスケット積み重ね時の載せ台として有効に機能させ得るようにした多機能型の蓋付きバスケットを提供することを目的としたものである。
【課題を解決するための手段】
【００１３】
本願発明は、上記課題を解決するための手段として次の構成を有している。尚、本願発明は、例えばアウトドアレジャー時に物品（例えば弁当や飲料等）を収納して携行するのに使用したり、あるいは家庭において衣類その他の収納用として使用できる蓋付きバスケットを対象にしている。
【００１４】
［本願請求項１の発明］
本願請求項１の発明は、側周４面からなる側周壁と底壁を有し上部開口を全面解放させたバスケット本体と、該バスケット本体の上部開口を着脱自在に開閉できる蓋体とを有した蓋付きバスケットである。
【００１５】
本願請求項１の蓋付きバスケットにおけるバスケット本体及び蓋体は、それぞれ合成樹脂材料で成形したものである。
【００１６】
バスケット本体部分は、例えばスーパーマーケット等において買い物かごとして利用されている形態のものが採用できる。即ち、このバスケット本体は、側周４面からなる側周壁と底壁とで容器部分を構成している一方、必要に応じてバスケット本体の開口縁部に左右一対のハンドルを起立・倒伏自在に取付けることができる。尚、バスケット本体の側周壁及び底壁には、多数の小穴やスリット等からなる模様を付与することができる。
【００１７】
蓋体は、保形性を有した１枚板で、バスケット本体の上部開口の開口縁部上に載置できる所定小幅（例えば１０〜２０mm幅程度）の外周縁部を設け且つ該外周縁部の内側全面を該外周縁部より所定小深さ（例えば５〜１０mm深さ程度）だけ段下げした段下げ壁を介してフラットな平面部としている。従って、この蓋体は、かなりシンプルな形状のものでよい。
【００１８】
この蓋体は、その外周縁部をバスケット本体の開口縁部上に載せると、蓋体の平面部（段下げ部分）がバスケット本体の上部開口内に段下げ深さだけ落とし込まれる。そして、このように蓋体をバスケット本体の開口縁部上にセットした状態では、蓋体の段下げ壁の外周面がバスケット本体の上部開口の内周面に近接して、蓋体がバスケット本体に対して水平方向に位置決めされるようになっている。即ち、蓋体をバスケット本体の開口縁部上にセットした状態では、蓋体側の段下げ壁外周面がバスケット本体側の上部開口内周面に対して全周に亘って近接するので、該蓋体がバスケット本体に対して水平方向に位置ずれしないようになっている。
【００１９】
この請求項１の蓋付きバスケットは、例えばアウトドアレジャー時における物品（例えば弁当や飲料等）を収納して携行したり、あるいは家庭において衣類や小物物品等の収納容器として使用したりすることができる。
【００２０】
そして、この蓋付きバスケットをアウトドアレジャー用として使用する場合は、バスケット本体内に物品（弁当等）を収納して蓋体をセットすることで、通常の蓋付きバスケットとして携行できる一方、現地で弁当を食べるときには、蓋体を開いて内部の必要物品を取出した後、蓋体をバスケット本体に再セットすることで、該蓋体をバスケット本体の高さ位置でテーブル面として有効に（付加価値をつけて）機能させることができる。即ち、蓋体はバスケット本体に対して水平方向に位置ずれしないので、蓋体が０１から不用意に脱落することがなく、しかも物品を置く蓋体の平面部が外周縁部より段下げされているので、該平面部上においた物品が横移動（転動）しても段上げ状態にある外周縁部を乗り越えて脱落することがない。
【００２１】
［本願請求項２の発明］
本願請求項２の発明は、上記請求項１の蓋付きバスケットにおいて、バスケット本体の底壁着座面の外形を蓋体の平面部の内形より小さくして、バスケット本体にセットした蓋体の平面部上に別のバスケット本体の底壁着座面を載せ得るようにしていることを特徴としている。
【００２２】
この請求項２のものは、複数個の蓋付きバスケットを上下に積み重ねるのに適したものであって、両蓋付きバスケットを積み重ねたときに、上側バスケットのバスケット本体の底壁着座面の全面が下側バスケットの蓋体に設けた平面部の範囲内（外周縁部の内側）に着座するようになっている。従って、両蓋付きバスケットを上下に積み重ねた状態では、上側バスケットの底壁着座面の外周が下側バスケットの蓋体の外周縁部（段上げ部となっている）でガードされるようになる。
【発明の効果】
【００２３】
［本願請求項１の発明の効果］
本願請求項１の発明の蓋付きバスケットは、蓋体として所定小幅の外周縁部の内側全面を所定小深さだけ段下げしたフラットな平面部としたものを使用し、該蓋体をバスケット本体の上部開口にセットした状態では、蓋体の段下げ壁の外周面がバスケット本体の上部開口の内周面に近接して、蓋体がバスケット本体に対して水平方向に位置決めされるように構成したものである。
【００２４】
従って、この請求項１の蓋付きバスケットは、例えばアウトドアレジャー時における物品を収納して携行したり、あるいは家庭において衣類や小物物品等の収納容器として使用したりするときに、蓋付きの状態で使用できる。
【００２５】
又、この蓋付きバスケットをアウトドアレジャー用として使用する場合は、蓋体をバスケット本体の高さ位置でテーブル面として機能させることができるが、そのとき蓋体はバスケット本体に対して水平方向に位置ずれしないので、蓋体がバスケット本体の開口縁部から不要に脱落することがないという効果がある。
【００２６】
又、物品を置く蓋体の平面部が外周縁部より段下げされているので、該平面部上においた物品が横移動（転動）しても段上げ状態にある外周縁部を乗り越えて脱落することがないという効果もある。
【００２７】
［本願請求項２の発明の効果］
本願請求項２の発明は、上記請求項１の蓋付きバスケットにおいて、バスケット本体の底壁着座面の外形を蓋体の平面部の内形より小さくして、バスケット本体にセットした蓋体の平面部上に別のバスケット本体の底壁着座面を載せ得るようにしたものである。
【００２８】
そして、この請求項２の蓋付きバスケットでは、複数個の蓋付きバスケットを上下に積み重ねたときに、上側バスケットの底壁着座面の外周が下側バスケットの蓋体の外周縁部（段上げ部となっている）でガードされるようになっている。
【００２９】
従って、この請求項２の蓋付きバスケットは、上記請求項１の効果に加えて、複数個の蓋付きバスケットを上下に積み重ねたときに、下側バスケットの蓋体（平面部）が上側バスケットの底壁着座面の載せ台として有効に機能するとともに、上側バスケットの安定性が良好になる（脱落しない）という効果がある。
【図面の簡単な説明】
【００３０】
【図１】本願実施例の蓋付きバスケットの正面図である。
【図２】図１の平面図である。
【図３】図２のIII−III断面図で、蓋体をテーブル面として利用した場合の説明図である。
【図４】図２のIV−IV断面図である。
【図５】図３の蓋付きバスケットを上下に２個積み重ねた状態の断面図である。
【発明を実施するための形態】
【００３１】
［実施例］
以下、図１〜図５を参照して本願の実施例を説明すると、この実施例の蓋付きバスケットは、例えばアウトドアレジャー時（例えばピクニック時）に物品を収納して携行したり、あるいは家庭において衣類や小物物品等を収納するのに使用されるものであって、バスケット本体１の上部開口１３を蓋体２で開閉できるようにしたものである。
【００３２】
この実施例では、バスケット本体１及び蓋体２は、それぞれ合成樹脂材料で成形したものである。
【００３３】
バスケット本体１は、例えばスーパーマーケット等において買い物かごとして利用されている形態のものが採用されている。即ち、このバスケット本体１は、側周４面からなる側周壁１１と底壁１２とで容器部分を構成しているとともに、バスケット本体１の開口縁部１４に、左右（図１に示すバスケットの長幅方向）に一対のハンドル３，３を取付けている。
【００３４】
バスケット本体１の側周壁１１及び底壁１２には、多数の小穴やスリット等からなる模様を付与することができるが、図示例のものでは該模様を省略している。
【００３５】
左右のハンドル３，３は、門形形状であってその両下端部をバスケット本体１の開口縁部１４上に設けた前後（バスケットの短幅方向）に一対の軸受部３１，３１に枢着させている。そして、この各ハンドル３，３は、それぞれ外向き水平方向に倒伏させた姿勢と上向きに起立させた姿勢（図１の符号３′）との間で起伏させ得るようになっているが、この各ハンドル３，３の起伏操作は、後述するようにバスケット本体開口縁部１４上に蓋体２を載せた状態で行えるようになっている。従って、この蓋付きバスケットでは、バスケット本体１に蓋体２をセットしたままで、ハンドル３，３を起立させて携行できるようになっている。
【００３６】
蓋体２は、保形性を有した１枚板からなるシンプルな形状であって、バスケット本体１の上部開口１３の開口縁部１４の外形とほぼ同大きさを有している。そして、この蓋体２は、バスケット本体１の開口縁部１４上に載置できる所定小幅（例えば１０〜２０mm幅程度）の外周縁部２２を設け且つ該外周縁部２２の内側全面を該外周縁部２２より所定小深さ（例えば５〜１０mm深さ程度）だけ段下げした段下げ壁２３を介してフラットな平面部２１としている。尚、蓋体２の外周縁部２２における、バスケット本体開口縁部１４上の各軸受部３１（４箇所ある）に対応する部分には、各軸受部３１との干渉を防止するための凹み部を設けている。
【００３７】
この蓋体２は、その外周縁部２２をバスケット本体１の開口縁部１４上に載せることでセットされるが、蓋体セット状態では、図３及び図４に示すように蓋体２の平面部（段下げ部分）２１がバスケット本体１の上部開口１３内に段下げ深さ（５〜１０mm深さ）だけ落とし込まれる。
【００３８】
そして、蓋体２をバスケット本体１にセットした状態では、図３及び図４に示すように、蓋体２の段下げ壁２３の外周面２３ａがバスケット本体１の上部開口１３の内周面１３ａに近接して、蓋体２がバスケット本体１に対して水平方向に位置決めされるようになっている。即ち、蓋体セット状態では、蓋体２側の段下げ壁外周面２３ａがバスケット本体１側の上部開口内周面１３ａに対して全周に亘って近接するので、該蓋体２がバスケット本体１に対して水平方向に位置ずれしないようになっている。
【００３９】
又、この実施例の蓋付きバスケットでは、バスケット本体１の底壁１２の着座面１２ａの外形を蓋体２の平面部２１の内形より小さくしている。このように、バスケット本体１の底壁着座面１２ａの外形を蓋体２の平面部２１の内形より小さくすると、図５に示すように２つの蓋付きバスケットを積み重ねたときに、上側バスケットのバスケット本体１の底壁着座面１２ａの全面を下側バスケットの蓋体２に設けた平面部２１の範囲内に収まるように着座させることができる。
【００４０】
この実施例の蓋付きバスケットは、例えばアウトドアレジャー時における物品（例えば弁当や飲料等）を収納して携行したり、あるいは家庭において衣類や小物物品等の収納容器として使用したりすることができる。
【００４１】
そして、この蓋付きバスケットをアウトドアレジャー用として使用する場合は、バスケット本体１内に物品（弁当等）を収納して蓋体２をセットすることで、通常の蓋付きバスケットとして携行できる一方、現地で収納弁当を食べるときには、蓋体２を開いて内部の必要物品を取出した後、蓋体２をバスケット本体１に再セットする。尚、尚、蓋体２を開放するには、各ハンドル３，３を図１に鎖線図示（符号３′）するように起立させることで、該蓋体２をバスケット本体１の開口縁部１４から抜き出すことができる（図４の符号２′参照）。
【００４２】
蓋体２をバスケット本体１に再セットした状態では、該蓋体２をバスケット本体１の高さ位置でテーブル面として機能させることができる。そのとき、図３及び図４に示すように、蓋体２の段下げ壁２３の外周面２３ａがバスケット本体１の上部開口１３の内周面１３ａに対して全周亘って近接しているので、蓋体２がバスケット本体１の開口縁部１４上で水平方向に位置ずれすることがない（蓋体２がバスケット本体１の開口縁部１４から不用意に脱落することがない）。
【００４３】
又、蓋体２をテーブル面として使用する場合に、物品（図４における弁当容器４や飲料容器５やコップ６等）を置く蓋体２の平面部２１が外周縁部２２より段下げされているので、該平面部２１上においた物品が横移動（転動）しても段上げ状態にある外周縁部２２を乗り越えて脱落することがない（外周縁部２２が堰止め機能を発揮する）。
【００４４】
他方、この実施例の蓋付きバスケットは、例えば家庭において衣類や小物物品等に保管容器として利用できるが、その場合は、図５に示すように複数個（（図示例では２個）の蓋付きバスケットを上下に積み重ねると設置スペースが狭くてよい。尚、このように両バスケットを上下に積み重ねると、下側バスケットの蓋体２を上側バスケットの載せ台として機能させることができる。
【００４５】
ところで、この実施例の蓋付きバスケットでは、バスケット本体１の底壁１２の着座面１２ａの外形を蓋体２の平面部２１の内形より小さくしているので、図５に示すように２つの蓋付きバスケットを積み重ねたときに、上側バスケットのバスケット本体１の底壁着座面１２ａの全面を下側バスケットの蓋体２に設けた平面部２１の範囲内に収まるように着座させることができる。そして、図５に示す積み重ね状態では、上側バスケットの底壁着座面１２ａの全面が下側バスケットの蓋体２の平面部２１（段下げされている）上に載置されているので、もし上側バスケットが水平方向に移動しても、平面部２１外周の段上げ部分（外周縁部２２）が堰止め機能を発揮するので、該上側バスケットが下側バスケットの上面（蓋体２の平面部２１）から不用意に脱落することがない（例えば、蓋付きバスケットを積み重ねた状態で地震等の振動が発生しても、上側バスケットが脱落しにくくなる）。
【符号の説明】
【００４６】
１はバスケット本体、２は蓋体、３はハンドル、１１は側周壁、１２は底壁、１２ａは底壁の着座面、１３は上部開口、１３ａは上部開口の内周面、１４は開口縁部、２１は平面部、２２は外周縁部、２３は段下げ壁、２３ａは段下げ壁の外周面である。
【図１】
2013081628.tif 000003
【図２】
2013081628.tif 000004
【図３】
2013081628.tif 000005
【図４】
2013081628.tif 000006
【図５】
2013081628.tif 000007